(57)【特許請求の範囲】
【請求項１】
外部機器と接続可能な端末装置であって、
前記外部機器との接続を検出する検出手段と、
前記検出手段によって接続が検出された外部機器が予め指定された複数の所定の外部機器の１つであるか否かを判別する判別手段と、
前記端末装置と通信可能なデータ蓄積装置からデータを受信するか否かを設定する受信設定手段と、
前記複数の所定の外部機器のそれぞれに応じ、この端末装置のユーザの個人情報を示すデータを予め記憶する記憶手段と、
前記判別手段によって前記外部機器が所定の外部機器の１つであると判別され、前記受信設定手段によってデータを受信することが設定された場合に、前記判別された外部機器に応じ、この端末装置のユーザの個人情報を示すデータの送信要求を前記データ蓄積装置に送信する送信手段と、
前記送信手段によって送信されたデータの送信要求に応答して前記データ蓄積装置から送信された、前記判別された外部機器に応じ、この端末装置のユーザの個人情報を示すデータを受信する受信手段と、
前記受信手段によって受信された個人情報を示すデータを前記記憶手段に記憶させる記憶制御手段と、
前記判別手段によって前記外部機器が所定の外部機器の１つであると判別され、前記受信設定手段によってデータを受信しないことが設定された場合に前記記憶手段に予め記憶されている個人情報を示すデータの中から、前記判別された外部機器に応じ、この端末装置のユーザの個人情報を示すデータを読み出し、前記判別手段によって前記外部機器が所定の外部機器の１つであると判別され、前記受信設定手段によってデータを受信することが設定された場合に前記記憶手段から前記受信された、前記判別された外部機器に応じ、この端末装置のユーザの個人情報を示すデータを読み出す読出手段と、
前記読出手段によって読み出された、前記判別された外部機器に応じ、この端末装置のユーザの個人情報を示すデータを表示部に表示させる表示制御手段と、
を備えることを特徴とする端末装置。
【請求項２】
請求項１に記載の端末装置であって、
前記検出手段が前記外部機器との接続を検出することにより、この端末装置の主電源が電力供給する
ことを特徴とする端末装置。
【請求項３】
請求項１又は２に記載の端末装置であって、
前記送信手段は、この端末装置のユーザを識別する識別情報を前記データの送信要求とともに送信し、
前記受信手段は、判別された外部機器に応じ、この端末装置のユーザの個人情報を示すデータとして、前記送信手段によってデータの送信要求とともに送信された識別情報が示すこの端末装置のユーザの個人情報を示すデータを、前記データ蓄積装置から受信すること
を特徴とする端末装置。
【請求項４】
請求項１乃至３のいずれか一項に記載の端末装置であって、
前記表示制御手段は、前記検出手段によって接続が検出された外部機器との接続が外された後も、前記表示部に表示させた個人情報を示すデータの表示を保持させること
を特徴とする端末装置。
【請求項５】
請求項１乃至４のいずれか一項に記載の端末装置であって、
前記端末装置のユーザを認証する認証手段を更に備え、
前記表示制御手段は、前記認証手段によって端末装置のユーザであることが認証された場合に、前記読出手段によって読み出された個人情報を示すデータを表示部に表示させる
ことを特徴とする端末装置。
【請求項６】
請求項１乃至５のいずれか一項に記載の端末装置であって、
前記表示制御手段は、電力供給が停止されても表示内容の表示が保持される表示部に、前記読出手段によって読み出された個人情報を示すデータを表示させる
ことを特徴とする端末装置。
【請求項７】
請求項６に記載の端末装置であって、
前記表示制御手段によって表示部に、前記判別された外部機器に応じ、かつ、この端末装置のユーザの個人情報を示すデータが表示された後、この端末装置の主電源の電力供給を停止する電力制御手段をさらに備える
ことを特徴とする端末装置。
【請求項８】
請求項１乃至７のいずれか一項に記載の端末装置であって、
前記判別手段によって所定の外部機器であると判別された場合に、その所定の外部機器に応じた通知内容を予め指定された宛先に対して通知する通知手段を更に備える
ことを特徴とする端末装置。
【請求項９】
コンピュータに、
外部機器との接続を検出する機能と、
前記接続が検出された外部機器が予め指定された複数の所定の外部機器の１つであるか否かを判別する機能と、
このコンピュータと通信可能なデータ蓄積装置からデータを受信するか否かを設定する機能と、
前記複数の所定の外部機器のそれぞれに応じ、このコンピュータのユーザの個人情報を示すデータを予め記憶する機能と、
前記外部機器が所定の外部機器の１つであると判別され、データを受信することが設定された場合に、前記判別された外部機器に応じ、このコンピュータのユーザの個人情報を示すデータの送信要求を前記データ蓄積装置に送信する機能と、
前記データの送信要求に応答して前記データ蓄積装置から送信された、前記判別された外部機器に応じ、このコンピュータのユーザの個人情報を示すデータを受信する機能と、
前記受信された個人情報を示すデータを記憶する機能と、
前記所定の外部機器の１つであると判別され、データを受信しないことが設定された場合に予め記憶している個人情報を示すデータの中から、前記判別された外部機器に応じ、このコンピュータのユーザの個人情報を示すデータを読み出し、前記外部機器が所定の外部機器の１つであると判別され、データを受信することが設定された場合に前記受信された、前記判別された外部機器に応じ、このコンピュータのユーザの個人情報を示すデータを読み出す機能と、
前記読み出された、前記判別された外部機器に応じ、このコンピュータのユーザの個人情報を示すデータを表示部に表示させる機能と、
を実現させるためのプログラム。
【発明の詳細な説明】
【技術分野】
【０００１】
本発明は、端末装置、及びプログラムに関し、煩雑なユーザ操作を必要とせずに、接続された外部機器に応じたデータを表示部に表示させる技術に関する。
【背景技術】
【０００２】
医師の操作に従って、診療記録情報が蓄積されたデータベースから、指定された患者の診療記録情報を読み出して表示する医療業務支援装置がある（たとえば、特許文献１を参照）。
【０００３】
また、このような医療業務支援装置に限らず、ユーザ（操作者）の操作に従って、多数のデータが蓄積されたデータベースから、指定された個人のデータを読み出して表示する業務支援装置は一般的である。たとえば、交通違反者の交通違反履歴情報を表示する装置、特定の個人の買い物履歴情報を表示する装置、特定の個人の住民票情報を表示する装置などがある。
【特許文献１】特開２００５−２９３３５６号公報
【発明の開示】
【発明が解決しようとする課題】
【０００４】
しかしながら、このような業務支援装置の場合、データを表示する対象となる個人が一度に多数になる場合、各個人のデータを全て表示しきれないという問題がある。また、その個人を特定する作業、特定した個人を業務支援装置に入力する作業を、業務支援装置のユーザが行わなければならず、非常に煩雑である。
【０００５】
たとえば、大規模な事故が起こった事故現場に、前述の医療業務支援装置を搭載した救急車で向かい、多数の負傷者に対して一度に応急処置を行わなければならない場合、多数の負傷者の医療情報を一度に表示するのは不可能であり、１人１人治療するたびに表示させなければならない。また、一度応急処置をした負傷者に対して再び処置を行う場合には、もう一度その負傷者の医療情報を表示させなければならず、時間がかかってしまう。さらには、負傷者に名前を聞くなどして個人を特定する作業は特に重傷者の場合には難しい。
【０００６】
すなわち、前述の業務支援装置では、所望のデータを表示させるために煩雑なユーザ操作が必要となってしまうという問題点がある。
【０００７】
本発明はこのような事情に鑑みてなされたもので、煩雑なユーザ操作を必要とせずに、接続された外部機器に応じたデータを表示部に表示させることが可能な端末装置、及びプログラムを提供することを目的とする。
【課題を解決するための手段】
【０００９】
本発明のうち請求項１に記載の発明は、外部機器と接続可能な端末装置であって、前記外部機器との接続を検出する検出手段と、前記検出手段によって接続が検出された外部機器が予め指定された複数の所定の外部機器の１つであるか否かを判別する判別手段と、前記端末装置と通信可能なデータ蓄積装置からデータを受信するか否かを設定する受信設定手段と、前記複数の所定の外部機器のそれぞれに応じ、この端末装置のユーザの個人情報を示すデータを予め記憶する記憶手段と、前記判別手段によって前記外部機器が所定の外部機器の１つであると判別され、前記受信設定手段によってデータを受信することが設定された場合に、前記判別された外部機器に応じ、この端末装置のユーザの個人情報を示すデータの送信要求を前記データ蓄積装置に送信する送信手段と、前記送信手段によって送信されたデータの送信要求に応答して前記データ蓄積装置から送信された、前記判別された外部機器に応じ、この端末装置のユーザの個人情報を示すデータを受信する受信手段と、前記受信手段によって受信された個人情報を示すデータを前記記憶手段に記憶させる記憶制御手段と、前記判別手段によって前記外部機器が所定の外部機器の１つであると判別され、前記受信設定手段によってデータを受信しないことが設定された場合に前記記憶手段に予め記憶されている個人情報を示すデータの中から、前記判別された外部機器に応じ、この端末装置のユーザの個人情報を示すデータを読み出し、前記判別手段によって前記外部機器が所定の外部機器の１つであると判別され、前記受信設定手段によってデータを受信することが設定された場合に前記記憶手段から前記受信された、前記判別された外部機器に応じ、この端末装置のユーザの個人情報を示すデータを読み出す読出手段と、前記読出手段によって読み出された、前記判別された外部機器に応じ、この端末装置のユーザの個人情報を示すデータを表示部に表示させる表示制御手段と、を備えることとする。
また、本発明のうち請求項２に記載の発明は、請求項１に記載の端末装置であって、前記検出手段が前記外部機器との接続を検出することにより、この端末装置の主電源が電力供給することとする。
【００１０】
また、本発明のうち請求項３に記載の発明は、請求項１又は２に記載の端末装置であって、前記送信手段は、この端末装置のユーザを識別する識別情報を前記データの送信要求とともに送信し、前記受信手段は、判別された外部機器に応じ、この端末装置のユーザの個人情報を示すデータとして、前記送信手段によってデータの送信要求とともに送信された識別情報が示すこの端末装置のユーザの個人情報を示すデータを、前記データ蓄積装置から受信することとする。
【００１１】
また、本発明のうち請求項４に記載の発明は、請求項１乃至３のいずれか一項に記載の端末装置であって、前記表示制御手段は、前記検出手段によって接続が検出された外部機器との接続が外された後も、前記表示部に表示させた個人情報を示すデータの表示を保持させることとする。
【００１２】
また、本発明のうち請求項５に記載の発明は、請求項１乃至４のいずれか一項に記載の端末装置であって、前記端末装置のユーザを認証する認証手段を更に備え、前記表示制御手段は、前記認証手段によって端末装置のユーザであることが認証された場合に、前記読出手段によって読み出された個人情報を示すデータを表示部に表示させることとする。
【００１３】
また、本発明のうち請求項６に記載の発明は、請求項１乃至５のいずれか一項に記載の端末装置であって、前記表示制御手段は、電力供給が停止されても表示内容の表示が保持される表示部に、前記読出手段によって読み出された個人情報を示すデータを表示させることとする。
【００１４】
また、本発明のうち請求項７に記載の発明は、請求項６に記載の端末装置であって、前記表示制御手段によって表示部に、前記判別された外部機器に応じ、かつ、この端末装置のユーザの個人情報を示すデータが表示された後、この端末装置の主電源の電力供給を停止する電力制御手段をさらに備えることとする。
【００１５】
また、本発明のうち請求項８に記載の発明は、請求項１乃至７のいずれか一項に記載の端末装置であって、前記判別手段によって所定の外部機器であると判別された場合に、その所定の外部機器に応じた通知内容を予め指定された宛先に対して通知する通知手段を更に備えることとする。
【００１７】
また、本発明のうち請求項９に記載の発明は、プログラムであって、コンピュータに、外部機器との接続を検出する機能と、前記接続が検出された外部機器が予め指定された複数の所定の外部機器の１つであるか否かを判別する機能と、このコンピュータと通信可能なデータ蓄積装置からデータを受信するか否かを設定する機能と、前記複数の所定の外部機器のそれぞれに応じ、このコンピュータのユーザの個人情報を示すデータを予め記憶する機能と、前記外部機器が所定の外部機器の１つであると判別され、データを受信することが設定された場合に、前記判別された外部機器に応じ、このコンピュータのユーザの個人情報を示すデータの送信要求を前記データ蓄積装置に送信する機能と、前記データの送信要求に応答して前記データ蓄積装置から送信された、前記判別された外部機器に応じ、このコンピュータのユーザの個人情報を示すデータを受信する機能と、前記受信された個人情報を示すデータを記憶する機能と、前記所定の外部機器の１つであると判別され、データを受信しないことが設定された場合に予め記憶している個人情報を示すデータの中から、前記判別された外部機器に応じ、このコンピュータのユーザの個人情報を示すデータを読み出し、前記外部機器が所定の外部機器の１つであると判別され、データを受信することが設定された場合に前記受信された、前記判別された外部機器に応じ、このコンピュータのユーザの個人情報を示すデータを読み出す機能と、前記読み出された、前記判別された外部機器に応じ、このコンピュータのユーザの個人情報を示すデータを表示部に表示させる機能とを実現させる。
【発明の効果】
【００１８】
本発明によれば、煩雑なユーザ操作を必要とせずに、接続された外部機器に応じたデータを表示部に表示させることができる。
【発明を実施するための最良の形態】
【００１９】
以下、実施形態について説明する。
（１−１）装置構成
図１に実施形態として説明するシステムの構成図を示している。端末装置の一例としての携帯電話機１は、交換機２を介して無線通信網３に接続している基地局４と通信することにより、携帯電話機１などの他の端末装置と音声通話を行う。また、携帯電話機１は、無線通信網３を介してインターネット５に接続し、電子メールサーバ、Ｗｅｂサーバなどのインターネット５上の情報処理装置と通信する。
【００２０】
なお、以下、端末装置の一例である携帯電話機１について説明するが、端末装置は必ずしも携帯電話機に限られない。たとえば、ＰＤＡ（Personal Digital Assistant）などの携帯型情報端末、ノート型又はデスクトップ型のパーソナルコンピュータ、デジタルカメラ、音楽プレーヤなど、任意の情報処理装置（コンピュータ）であってもよい。
【００２１】
図１に示すように、インターネット５上には、保険情報を提供する保険情報管理サーバ６、医療情報を提供する医療情報管理サーバ７などの装置（以下、データ蓄積装置と称する。）が接続している。上記保険情報管理サーバ６には、個人の保険番号、保険内容、事故時の連絡先などの保険に関する情報（以下、保険情報と称する。）が管理されている。医療情報管理サーバ７には、個人の血液型、病歴、ドナー登録の有無などの医療に関する情報（以下、医療情報と称する。）が管理されている。なお、保険情報管理サーバ６及び医療情報管理サーバ７は、たとえばＷｅｂサーバであり、ＵＲＬ指定（URL : Uniform Resource Locator）などによる携帯電話機１からのデータ送信要求（リクエスト）に応じて携帯電話機１に要求されたデータを返答（レスポンス）する。
【００２２】
外部機器８は、携帯電話機１が接続され、接続されている携帯電話機１との間で通信を行う装置である。外部機器８は、携帯電話機１に自身の種類を特定する情報である外部機器ＩＤを通知する。外部機器８には、たとえば、医療業務に用いられるもの、警察の捜査などに用いられるもの、交通事故の処理に用いられるもの、金銭決済用に用いられるものなどがある。
【００２３】
図２に携帯電話機１のブロック図を示している。同図に示すように、携帯電話機１は、中央制御部１１、ＲＡＭ１２（RAM : Random Access Memory）、ＲＯＭ１３（ROM : Read Only Memory）、無線通信送受信部１４、音声信号処理部１６、表示部１７、操作部１８、ＲＴＣ１９（RTC : Real Time Clock）、報知部２０、及び外部機器通信部２１を有している。
【００２４】
中央制御部１１は、ＣＰＵ（Central Processing Unit)、ＭＰＵ（Micro Processing Unit）などを用いて構成されている。中央制御部１１は、ＲＡＭ１２又はＲＯＭ１３に記憶されているプログラムやデータに基づいて、携帯電話機１の統括的な制御を行うとともに、携帯電話機１が提供する各種の機能を実現する。
【００２５】
ＲＡＭ１２には、後述する設定情報を記憶する設定情報記憶部１２２、後述するデータを記憶するデータ記憶部１２３、後述する通知情報を記憶する通知情報記憶部１２４、及びパスワードを記憶するパスワード記憶部１２５などの記憶領域がある。ＲＯＭ１３には、携帯電話機１が提供する各種の機能を実現するためのプログラムやデータが記憶されている。ＲＡＭ１２又はＲＯＭ１３には、電話番号やメールアドレスが記憶されている。
【００２６】
無線通信送受信部１４は、無線通信により基地局４を介して無線通信網３やインターネット５に接続するための通信インタフェースであり、ＤＳＰ（Digital Signal Processor）などを用いて構成されている。
【００２７】
音声信号処理部１６は、マイクロフォンに入力されるアナログの音声信号をデジタル信号に変換して中央制御部１１に伝える。また、音声信号処理部１６は、中央制御部１１などから出力されるデジタル信号をアナログの音声信号に変換してスピーカに出力する。
【００２８】
表示部１７は、液晶パネル、電子ペーパ（電気泳動方式、液晶方式、電界析出方式、感熱方式、ＭＥＭＳ（MEMS : Micro Electro Mechanical Systems）方式、ブラウン管モニタなどの、情報を視覚的に出力する装置である。なお、図３Ａ及び図３Ｂに示すように、本実施形態の携帯電話機１はシェル構造を呈するものとし、表示部１７として、シェルの内周に設けられた液晶パネル（以下、メイン画面１７１と称する。）、及びシェルの外周に設けられた電子ペーパ（以下、サブ画面１７２と称する。）を備えるものとする。但し、表示部１７の形態は必ずしもこれに限られず、メイン画面１７１及びサブ画面１７２は任意の表示デバイスであってよい。
【００２９】
操作部１８は、たとえば、操作ボタン、タッチパネル、操作ダイヤル、キーボード、マウスなどのユーザインタフェースであり、ユーザの操作入力を電気信号に変換して中央制御部１１に伝える。
【００３０】
ＲＴＣ１９は、日付や時刻などの現在の時刻情報を出力するクロックである。
【００３１】
報知部２０は、サウンドスピーカ２０１、ＬＥＤ２０２、振動モータ２０３などを有し、通話の着信やメールの着信をユーザに報知する。
【００３２】
外部機器通信部２１は、外部機器８との間で通信を行う。なお、本実施形態では、携帯電話機１と外部機器８との間の通信は有線で行われるものとするが、携帯電話機１と外部機器８との間の通信は、たとえば、無線（たとえば、無線ＬＡＮ、ブルートゥース（BlueTooth）、短距離無線（特定小電力、微弱無線、専用狭帯域通信（DSRC : Dedicated Short Range Communication）、近距離通信（NFC : Near Field Communication）など）、赤外線）などにより行ってもよい。
【００３３】
図４は外部機器８のブロック図である。外部機器８は、中央制御部８１、ＲＡＭ８２、ＲＯＭ８３、通信部８４、充電制御部８５、及び電源部８６を有している。
【００３４】
中央制御部８１は、ＣＰＵ（Central Processing Unit)、ＭＰＵ（Micro Processing Unit）などを用いて構成されている。中央制御部８１は、ＲＡＭ８２又はＲＯＭ８３に記憶されているプログラムやデータに基づいて、外部機器８の統括的な制御を行うとともに、外部機器８が提供する各種の機能を実現する。
【００３５】
ＲＡＭ８２には、外部機器８の種類を特定する情報である外部機器ＩＤが記憶されるＩＤ記憶部８２１がある。ＲＯＭ８３には外部機器８が提供する各種の機能を実現するためのプログラムやデータが記憶されている。
【００３６】
通信部８４は、携帯電話機１の外部機器通信部２１と通信する。充電制御部８５は、携帯電話機１への充電電流の供給を制御する。電源部８６は、外部機器８の駆動電力、及び携帯電話機１の充電電流を供給する。
【００３７】
なお、外部機器８の構成は図４に示したものに限られない。外部機器８は、少なくとも携帯電話機１に外部機器ＩＤを送信する機能を有するものであればよい。
【００３８】
図５に設定情報記憶部１２２に記憶される設定情報５０の一例を示している。同図に示すように、設定情報５０は、各項目５１（個人認証、データ受信、自動電源オフ）に対応づけて、各項目５１に対応する動作をするか否か（内容５２）を示す設定フラグ５３が登録されている。対応する動作をする場合には、内容５２の「する」の設定フラグ５３に「１」が、「しない」の設定フラグ５３に「０」が設定される。また、対応する動作をしない場合には、内容５２の「する」の設定フラグに「０」が、「しない」の設定フラグ５３に「１」が設定される。
【００３９】
図６にデータ記憶部１２３に記憶されるデータ６０の一例を示している。同図に示すように、データ６０は、外部機器ＩＤ６１に対応づけて、内容６２（たとえば、血液型、病歴、ドナー登録有無、保険番号、保険内容、事故時の連絡先）、及び接続先（たとえば、保険情報管理サーバ６のＩＰアドレス、医療情報管理サーバ７のＩＰアドレス）が登録されている。さらには、登録されている全ての外部機器ＩＤ６１に共通の内容６２（たとえば、氏名、連絡先）も登録されている。
【００４０】
なお、データ６０の内容６２は、図６に示したものに限られない。たとえば、運転免許証情報、交通違反履歴情報、買い物履歴情報、住民票情報など、外部機器８の性質に応じた任意の個人情報であってよい。さらには、文字情報に限られない。顔写真などの画像情報など、任意の情報であってよい。
【００４１】
図７に通知情報記憶部１２４に記憶される通知情報７０の一例を示している。同図に示すように、通知情報７０は、外部機器ＩＤ７１（医療用外部機器、交通事故用外部機器など）に対応づけて、内容７２、及び通知先７３（家族のメールアドレス、保険会社のメールアドレスなど）が登録されている。
【００４２】
（１−２）動作例
図８は携帯電話機１の動作を説明するフローチャートである。携帯電話機１は、主電源（主要動作用の電力供給）がオフされている状態において、電源オン操作が行われたか否かを監視している（Ｓ８１１）。電源オン操作がされたことを検知すると（Ｓ８１１：ＹＥＳ）、携帯電話機１は、主電源をオンし（Ｓ８１２）、無線通信網３に接続するための位置登録処理などの待受処理を開始する（Ｓ８１３）。
【００４３】
主電源がオフされている状態において（Ｓ８１１：ＮＯ）、携帯電話機１は、外部機器８が接続されたか否かを監視する（Ｓ８１４）。なお、携帯電話機１は、外部機器８が接続されたことを、たとえば、外部機器通信部２１との通信が確立したこと、外部機器８から外部機器ＩＤを取得したこと、外部機器８からの充電電流の供給が開始されたことなどを条件として判断する。
【００４４】
外部機器８が接続されたことを検知すると（Ｓ８１４：ＹＥＳ）、携帯電話機１は主電源をオンする（Ｓ８１５）。その後は後述のＳ８１９に進む。
【００４５】
待受処理（Ｓ８１３）の開始後において、携帯電話機１は、設定操作（設定情報５０の設定、データ６０の設定、通知情報７０の設定など）が行われたか否かを監視している（Ｓ８１６）。設定操作が行われたことを検知すると（Ｓ８１６：ＹＥＳ）、携帯電話機１は、設定操作の内容に応じた設定処理を行う（Ｓ８１７）。その後はＳ８１６に戻る。
【００４６】
Ｓ８１６において、設定操作が行われない場合（Ｓ８１６：ＮＯ）、携帯電話機１は、外部機器８の接続を検出したか否かを判断する（Ｓ８１８）。外部機器８の接続を検出した場合（Ｓ８１８：ＹＥＳ）、携帯電話機１は、後述するデータ表示処理（図９）を行う（Ｓ８１９）。その後はＳ８１６に戻る。
【００４７】
Ｓ８１８において、外部機器８の接続を検出しない場合（Ｓ８１８：ＮＯ）、携帯電話機１は、外部機器８の接続外れを検出したか否かを判断する（Ｓ８２０）。なお、携帯電話機１は、外部機器８の接続外れを検出したか否かを、たとえば、外部機器通信部２１との間の通信が終了したこと、外部機器８からの充電電流の供給が途絶えたことなどを条件として判断する。
【００４８】
外部機器８の接続外れを検出した場合（Ｓ８２０：ＹＥＳ）、Ｓ８１６に戻る。このように、携帯電話機１は、外部機器８の接続外れを検出しても何も行わず、また、後述するデータ表示処理（Ｓ８１９、図９のＳ９２１）によってサブ画面１７２にデータが表示されている場合、サブ画面１７２の表示内容を保持する（表示されている内容をそのまま表示し続ける）。つまり外部機器８からの充電電流の供給が途絶えている場合もサブ画面１７２にはデータが表示され続けることになる。
【００４９】
Ｓ８２０において、外部機器８の接続外れを検出しない場合（Ｓ８２０：ＮＯ）、携帯電話機１は、着信を検出したか否かを判断する（Ｓ８２１）。着信を検出した場合（Ｓ８２１：ＹＥＳ）、通話処理を開始する（Ｓ８２２）。その後はＳ８１６に戻る。
【００５０】
着信を検出しない場合（Ｓ８２１：ＮＯ）、携帯電話機１は、電源オフ操作が行われたか否かを判断する（Ｓ８２３）。電源オフ操作が行われた場合（Ｓ８２３：ＹＥＳ）、携帯電話機１は、主電源をオフする（Ｓ８２４）。主電源がオフされ、サブ画面への電力供給が停止されても、後述するデータ表示処理（Ｓ８１９、図９のＳ９２１）によってサブ画面１７２にデータが表示されている場合、サブ画面１７２の表示内容を保持する（表示されている内容をそのまま表示し続ける）。
【００５１】
Ｓ８２３において、電源オフ操作が行われない場合（Ｓ８２３：ＮＯ）、発信操作や電子メールに関する操作などのその他の操作が行われたか否かを判断する（Ｓ８２５）。その他の操作が行われた場合（Ｓ８２５：ＹＥＳ）、その他の処理（発信処理や電子メールに関する処理）を行う（Ｓ８２６）。その後はＳ８１６に戻る。
【００５２】
図９は、図８のデータ表示処理（Ｓ８１９）を説明するフローチャートである。まず携帯電話機１は、外部機器８から外部機器ＩＤを取得し（Ｓ９１１）、取得した外部機器ＩＤに対応する外部機器ＩＤが、データ６０に記憶されているか否か（外部機器ＩＤ６１に登録されているか否か、すなわち、Ｓ８１６において検出された外部機器が予め指定された外部機器か否か）を判断する（Ｓ９１２）。
【００５３】
外部機器ＩＤが記憶されている場合（Ｓ９１２：ＹＥＳ）、Ｓ９１３に進む。外部機器ＩＤが記憶されていない場合（Ｓ９１２：ＮＯ）、データ表示処理（Ｓ８１９）は終了してＳ８１６に戻る。
【００５４】
Ｓ９１３では、携帯電話機１は、設定情報５０を参照し、項目５１の「個人認証」の「する」の設定フラグ５３が「１」であるか否か、すなわち、個人認証を行う設定になっているか否かを判断する。
【００５５】
個人認証を行う設定になっている場合（Ｓ９１３：ＹＥＳ）、携帯電話機１は、パスワードの入力を受け付け、パスワード記憶部１２５に記憶しているパスワードと照合し（Ｓ９１４）、パスワードが一致すれば（Ｓ９１５：ＹＥＳ）、Ｓ９１６に進み、一致しなければ（Ｓ９１５：ＮＯ）、データ表示処理（Ｓ８１９）を終了してＳ８１６に戻る。なお、個人認証の方法は、指紋などの生体情報の照合など、パスワード以外の方法で認証してもよい。
【００５６】
Ｓ９１６において、携帯電話機１は、項目５１の「データ受信」の「する」の設定フラグが「１」であるか否か、すなわち、データ受信を行う設定になっているか否かを判断する。データ受信を行う設定になっている場合には（Ｓ９１６：ＹＥＳ）、Ｓ９１７に進み、データ受信を行う設定になっていない場合には（Ｓ９１６：ＮＯ）、Ｓ９２０に進む。
【００５７】
Ｓ９１７において、携帯電話機１は、データ５０において接続中の外部機器８の外部機器ＩＤ６１に対応づけられている接続先６３に対応するデータ蓄積装置（保険情報管理サーバ６、医療情報管理サーバ７など）に対し、データの送信要求、及び当該携帯電話機１のユーザを識別する識別情報（ユーザＩＤ、電話番号など）を送信する。
【００５８】
携帯電話機１は、接続先６３に対応するデータ蓄積装置から送信されてくるデータ（データの送信要求の応答として返答され、上記識別情報に対応するデータ）を待機する。携帯電話機１は、データを受信すると（Ｓ９１８：ＹＥＳ）、受信したデータをＲＡＭ１２に記憶する（Ｓ９１９）。
【００５９】
次に携帯電話機１は、サブ画面１７２に表示するデータをＲＡＭ１２から読み出す（Ｓ９２０）。なお、ここで読み出されるデータは、Ｓ９１６においてデータ受信を行う設定になっていない場合には（Ｓ９１６：ＮＯ）、図６に示すデータ６０の場合では、氏名、連絡先などの基本的な個人情報（共通情報）に加え、現在接続中の外部機器８の外部機器ＩＤ６１に対応づけてられている内容６２（たとえば、医療用個人情報（血液型、病歴、及びドナー登録有無）、警察用個人情報、交通事故用個人情報（保険番号、保険内容、及び事故時の連絡先））である。
【００６０】
一方、Ｓ９１６においてデータ受信を行う設定になっている場合には（Ｓ９１６：ＹＥＳ）、Ｓ９１９においてＲＡＭ１２に記憶したデータである。携帯電話機１は、読み出したデータをサブ画面１７１に表示する（Ｓ９２１）。図１０にこのときにサブ画面１７１に表示される表示内容の一例を示す。
【００６１】
次に携帯電話機１は、通知情報６０において接続中の外部機器８の外部機器ＩＤに対応づけられている通知先６３（たとえば、家族のメールアドレス、保険会社のメールアドレス）を宛先として、その外部機器ＩＤに応づけられている内容６２を送信（通知）する（Ｓ９２２）。
【００６２】
次に携帯電話機１は、項目５１の「自動電源オフ」の「する」の設定フラグが「１」であるか否か、すなわち、自動的に電源オフする設定になっているか否かを判断する（Ｓ９２３）。自動的に電源をオフする設定になっている場合には（Ｓ９２３：ＹＥＳ）、図８のＳ８２４に進み、携帯電話機１は主電源をオフする。つまり電子ペーパ（サブ画面１７２）にデータを表示（Ｓ９２１）した後は自動的に主電源がオフされる。一方、自動的に電源をオフする設定になっていない場合には（Ｓ９２３：ＮＯ）、携帯電話機１はデータ表示処理（Ｓ８１９）を終了し、その後はＳ８１６に戻る。
【００６３】
以上によれば、煩雑なユーザ操作を必要とせずに、接続された外部機器に応じたデータを表示部に表示させることができる。たとえば、医療用外部機器が接続された場合には医療用のデータを、金銭決済用外部機器が接続された場合には買い物履歴情報などの金銭決済用のデータを、煩雑なユーザ操作（外部機器のユーザ操作や端末装置のユーザ操作）を必要とせずに表示させることができる。
【００６４】
表示部に表示させるデータを、接続された外部機器に応じたデータを蓄積するデータ蓄積装置から受信するようにしたので、端末装置にデータが予め記憶されていなくてもデータを表示させることができる。また、医療機関が設置している医療用データ蓄積装置の場合のように、データ蓄積装置が信頼度の高いデータを提供していれば、信頼度が高く、専門性が高いデータを表示させることができる。
【００６５】
端末装置ユーザの個人情報を受信して表示するようにしたので、外部機器ユーザが端末装置ユーザを特定する作業を行う必要がない。また、データを表示する対象となる端末装置ユーザが多数いる場合でも、各ユーザが所持する端末装置にそれぞれのデータ（個人情報）を表示させるので、データを表示させきれなくなったり、あるユーザのデータを表示中に以前表示させたユーザのデータを再表示させたりする必要がなく、時間がかからない。
【００６６】
外部機器との接続が外された後も表示させたデータの表示を保持するので、データを再表示させるために外部機器を再接続させる必要がない。たとえば、大規模な事故が起こった事故現場に、医療用外部機器を搭載した救急車で向かい、多数の負傷者に対して一度に応急処置を行わなければならない場合、負傷者各人が所持する端末装置を医療用外部機器に順番に一度だけ接続するだけで、負傷者のデータを各端末装置で表示させておくことができる。
【００６７】
端末装置ユーザがデータを表示させることを希望しない場合には、表示させないようにすることができるので、悪意の第三者によって勝手に端末装置に外部機器が接続され、端末装置ユーザの個人情報を知られることを防止できる。
【００６８】
電力供給が停止されても表示内容の表示が保持される表示部にデータを表示させるようにしたので、端末装置が電池切れになってもデータを表示させておくことができる。前述の大規模な事故が起こった場合のように緊急事態には特に有用である。
【００６９】
データを表示後に端末装置の主要動作用の電力供給を停止するようにしたので、周囲の機器に対するノイズによる悪影響を防止できる。たとえば、医療用外部機器が接続された場合には、周囲に医療機器があることが想定されるので特に有用である。
【００７０】
接続された外部機器に応じた通知内容を宛先に対して通知するようにしたので、外部機器が接続された状況を第三者に通知することができる。たとえば、医療用外部機器が接続された場合には負傷した旨を家族や緊急通報サービス会社に通知したり、子供が所持する端末装置に金銭決済用外部機器が接続された場合には、その旨を親に通知したりすることができる。
【００７１】
端末装置ユーザの個人情報を表示させるようにしたので、外部機器ユーザが端末ユーザの個人情報を確認したい場合には、煩雑な操作を必要とすることなく、外部機器を接続させるだけでよい。
【図面の簡単な説明】
【００７２】
【図１】実施形態として説明するシステムの構成図である。
【図２】実施形態として説明する携帯電話機１のブロック図である。
【図３Ａ】実施形態として説明する携帯電話機１を開いた状態を示す外観斜視図である。
【図３Ｂ】実施形態として説明する携帯電話機１を閉じた状態を示す外観斜視図である。
【図４】実施形態として説明する外部機器８のブロック図である。
【図５】実施形態として説明する設定情報５０の一例である。
【図６】実施形態として説明するデータ６０の一例である。
【図７】実施形態として説明する通知情報７０の一例である。
【図８】実施形態として説明する携帯電話機１の動作を説明するフローチャートである。
【図９】実施形態として説明する携帯電話機１の動作を説明するフローチャートである。
【図１０】実施形態として説明するサブ画面１７１の表示内容の一例である。
【符号の説明】
【００７３】
１  携帯電話機
２  交換機
４  基地局
５  インターネット
６  保険情報サーバ
７  医療情報サーバ
８  外部機器
１１  中央制御部
１２  ＲＡＭ
１２２  設定情報記憶部
１２３  データ記憶部
１２４  通知情報記憶部
１２５  パスワード記憶部
１７  表示部
１７１  メイン画面
１７２  サブ画面
２１  外部機器通信部
８２１  ＩＤ記憶部
８４  通信部
【図２】
0005163140.tif 000002
【図３Ａ】
0005163140.tif 000003
【図３Ｂ】
0005163140.tif 000004
【図４】
0005163140.tif 000005
【図５】
0005163140.tif 000006
【図６】
0005163140.tif 000007
【図７】
0005163140.tif 000008
【図８】
0005163140.tif 000009
【図９】
0005163140.tif 000010
【図１０】
0005163140.tif 000011
【図１】
0005163140.tif 000012